(57)【要約】【課題】利用性が向上し且つ広域性に優れた衛星通信システムを提供する。【解決手段】本発明の衛星通信システムは、衛星通信機器（４）と衛星通信アダプタ（３）とを具備する。衛星通信アダプタ（３）は、衛星通信機器（４）に物理的に結合され、チャネルコーデック機能とＰＩＡＦＳ通信制御機能を有する。この衛星通信アダプタ（３）は、チャネルコーデック機能によって複数のＰＨＳ電話機（１、２）のうちの少なくとも１つを選択し、ＰＩＡＦＳ通信制御機能によって、選択されたＰＨＳ電話機が衛星通信アダプタ（３）、衛星通信機器（４）、及び人工衛星（５）を経由して基地局（６）と通信可能とする。【選択図】　図１
2004015352.tif 000002
【特許請求の範囲】
【請求項１】
衛星通信機器と、
前記衛星通信機器に物理的に結合され、チャネルコーデック機能とＰＩＡＦＳ通信制御機能を有する衛星通信アダプタとを具備し、
前記衛星通信アダプタは、前記チャネルコーデック機能によって複数のＰＨＳ電話機のうちの少なくとも１つを選択し、前記ＰＩＡＦＳ通信制御機能によって、前記選択されたＰＨＳ電話機が前記衛星通信アダプタ、前記衛星通信機器、及び人工衛星を経由して基地局と通信可能とする
衛星通信システム。
【請求項２】
請求項１に記載の衛星通信システムにおいて、
前記衛星通信アダプタが前記複数のＰＨＳ電話機のうちの１つを選択する第１通信モードでは、前記衛星通信アダプタが、前記複数のＰＨＳ電話機のうちの第１ＰＨＳ電話機から送信された、リンクチャネルを確立するための要求を表す第１リンクチャネル確立要求を受信したとき、前記チャネルコーデック機能によって前記第１ＰＨＳ電話機にＮ（Ｎは２以上の整数）個の通信チャネルの全てを割り当て、
前記衛星通信アダプタが前記複数のＰＨＳ電話機のうちの少なくとも１つを選択する第２通信モードでは、前記衛星通信アダプタが、前記第１ＰＨＳ電話機から再度送信された前記第１リンクチャネル確立要求を受信したとき、前記チャネルコーデック機能によって前記Ｎ個の通信チャネルのうちのＭ（１≦Ｍ＜Ｎを満たす整数）個の通信チャネルを前記第１ＰＨＳ電話機に割り当てる
衛星通信システム。
【請求項３】
請求項２に記載の衛星通信システムにおいて、
前記第１通信モードでは、前記衛星通信アダプタが、前記複数のＰＨＳ電話機のうちの第２ＰＨＳ電話機から送信された、前記リンクチャネルを確立するための要求を表す第２リンクチャネル確立要求を受信したとき、前記リンクチャネルの割り当てを拒否する旨を示すリンクチャネル割当拒否メッセージを前記第２ＰＨＳ電話機に送信する
衛星通信システム。
【請求項４】
請求項３に記載の衛星通信システムにおいて、
前記リンクチャネル割当拒否メッセージには、前記第１ＰＨＳ電話機の内線電話番号と、前記衛星通信アダプタと前記第１ＰＨＳ電話機とが通信を行っているときの通信速度とが記載された
衛星通信システム。
【請求項５】
請求項３又は４に記載の衛星通信システムにおいて、
前記リンクチャネル割当拒否メッセージは、前記第２ＰＨＳ電話機、及び前記第２ＰＨＳ電話機に接続された端末のうちの少なくとも１つに表示される
衛星通信システム。
【請求項６】
請求項３〜５のいずれか一項に記載の衛星通信システムにおいて、
前記第２通信モードでは、前記衛星通信アダプタが、前記第２ＰＨＳ電話機から再度送信された前記第２リンクチャネル確立要求を受信したとき、前記チャネルコーデック機能によって前記Ｎ個の通信チャネルのうちの前記Ｍ個の通信チャネルに重複しないＰ（１≦Ｐ＜Ｎを満たす整数）個の通信チャネルを前記第２ＰＨＳ電話機に割り当てる
衛星通信システム。
【請求項７】
請求項６に記載の衛星通信システムにおいて、
前記衛星通信アダプタは、確立要求テーブルを有し、
前記第１通信モードでは、前記衛星通信アダプタが、前記第２ＰＨＳ電話機からの前記第２リンクチャネル確立要求を受信したとき、前記第２ＰＨＳ電話機の内線電話番号と前記第２リンクチャネル確立要求があった旨を示すリンクチャネル確立要求有とを前記確立要求テーブルに格納し、
前記第２通信モードでは、前記衛星通信アダプタが、前記第１ＰＨＳ電話機から再度送信された前記第１リンクチャネル確立要求を受信したとき、前記確立要求テーブルを参照し、前記確立要求テーブルに前記第２ＰＨＳ電話機の内線電話番号と前記リンクチャネル確立要求有とが格納されている場合、前記チャネルコーデック機能によって、前記Ｍ個の通信チャネルを前記第１ＰＨＳ電話機に割り当てる
衛星通信システム。
【請求項８】
請求項３〜７のいずれか一項に記載の衛星通信システムにおいて、
前記第２通信モードでは、所定時間が経過しても前記第２ＰＨＳ電話機から前記第２リンクチャネル確立要求が再度送信されないとき、前記衛星通信アダプタは、前記第２リンクチャネル確立要求がない旨を示すメッセージであるリンクチャネル確立要求無を前記第１ＰＨＳ電話機に送信し、前記リンクチャネル確立要求無を送信した後に前記第１ＰＨＳ電話機からの前記第１リンクチャネル確立要求を受信したとき、前記第１通信モードを実行する
衛星通信システム。
【請求項９】
請求項３〜８のいずれか一項に記載の衛星通信システムにおいて、
前記第１通信モードでは、前記衛星通信アダプタが、前記第２ＰＨＳ電話機からの前記第２リンクチャネル確立要求を所定回数だけ受信したとき、前記リンクチャネルを開放する要求を表すメッセージであるリンクチャネル開放要求を前記第１ＰＨＳ電話機に送信する
衛星通信システム。
【請求項１０】
請求項８又は９に記載の衛星通信システムにおいて、
前記メッセージは、前記第１ＰＨＳ電話機、及び前記第１ＰＨＳ電話機に接続された端末のうちの少なくとも１つに表示される
衛星通信システム。
【請求項１１】
請求項２〜１０のいずれか一項に記載の衛星通信システムにおいて、
前記Ｎは２であり、
前記Ｎ個の通信チャネルの各々の通信速度は、３２Ｋｂｐｓである
衛星通信システム。
【請求項１２】
衛星通信アダプタと衛星通信機器と人工衛星とを用いて、複数のＰＨＳ電話機のうちの少なくとも１つが前記衛星通信アダプタ、前記衛星通信機器、及び人工衛星を経由して基地局と通信する方法であって、
（ａ）前記衛星通信アダプタが前記複数のＰＨＳ電話機のうちの１つを選択するステップと、
（ｂ）前記衛星通信アダプタが前記複数のＰＨＳ電話機のうちの少なくとも１つを選択するステップとを具備する
衛星通信方法。
【請求項１３】
請求項１２に記載の衛星通信方法において、
前記（ａ）のステップは、
（ｃ）前記複数のＰＨＳ電話機のうちの第１ＰＨＳ電話機から送信された、リンクチャネルを確立するための要求を表す第１リンクチャネル確立要求を受信したとき、前記チャネルコーデック機能によって前記第１ＰＨＳ電話機にＮ（Ｎは２以上の整数）個の通信チャネルの全てを割り当てるステップを実行し、
前記（ｂ）のステップは、
（ｄ）前記第１ＰＨＳ電話機から再度送信された前記第１リンクチャネル確立要求を受信したとき、前記チャネルコーデック機能によって前記Ｎ個の通信チャネルのうちのＭ（１≦Ｍ＜Ｎを満たす整数）個の通信チャネルを前記第１ＰＨＳ電話機に割り当てるステップを実行する
衛星通信方法。
【請求項１４】
請求項１３に記載の衛星通信方法において、
前記（ｃ）のステップは、
（ｅ）前記複数のＰＨＳ電話機のうちの第２ＰＨＳ電話機から送信された、前記リンクチャネルを確立するための要求を表す第２リンクチャネル確立要求を受信したとき、前記リンクチャネルの割り当てを拒否する旨を示すリンクチャネル割当拒否メッセージを前記第２ＰＨＳ電話機に送信するステップを実行する
衛星通信方法。
【請求項１５】
請求項１４に記載の衛星通信方法において、
前記（ｄ）のステップは、
（ｆ）前記第２ＰＨＳ電話機から再度送信された前記第２リンクチャネル確立要求を受信したとき、前記チャネルコーデック機能によって前記Ｎ個の通信チャネルのうちの前記Ｍ個の通信チャネルに重複しないＰ（１≦Ｐ＜Ｎを満たす整数）個の通信チャネルを前記第２ＰＨＳ電話機に割り当てるステップを実行する
衛星通信方法。
【請求項１６】
請求項１５に記載の衛星通信方法において、
前記（ｅ）のステップは、
（ｇ）前記第２ＰＨＳ電話機からの前記第２リンクチャネル確立要求を受信したとき、前記第２ＰＨＳ電話機の内線電話番号と前記第２リンクチャネル確立要求があった旨を示すリンクチャネル確立要求有とを確立要求テーブルに格納するステップを実行し、
前記（ｆ）のステップは、
（ｈ）前記第１ＰＨＳ電話機から再度送信された前記第１リンクチャネル確立要求を受信したとき、前記確立要求テーブルを参照し、前記確立要求テーブルに前記第２ＰＨＳ電話機の内線電話番号と前記リンクチャネル確立要求有とが格納されている場合、前記チャネルコーデック機能によって、前記Ｍ個の通信チャネルを前記第１ＰＨＳ電話機に割り当てるステップを実行する
衛星通信方法。
【請求項１７】
請求項１４〜１６のいずれか一項に記載の衛星通信方法において、
前記（ｂ）のステップは、
（ｉ）所定時間が経過しても前記第２ＰＨＳ電話機から前記第２リンクチャネル確立要求が再度送信されないとき、前記第２リンクチャネル確立要求がない旨を示すメッセージであるリンクチャネル確立要求無を前記第１ＰＨＳ電話機に送信するステップを実行し、
前記（ａ）のステップは、前記（ｉ）のステップ実行後に前記第１ＰＨＳ電話機からの前記第１リンクチャネル確立要求を受信したとき、前記（ｃ）のステップを実行する
衛星通信方法。
【請求項１８】
請求項１４〜１７のいずれか一項に記載の衛星通信方法において、
前記前記（ｃ）のステップは、
（ｊ）前記第２ＰＨＳ電話機からの前記第２リンクチャネル確立要求を所定回数だけ受信したとき、前記リンクチャネルを開放する要求を表すメッセージであるリンクチャネル開放要求を前記第１ＰＨＳ電話機に送信するステップを実行する
衛星通信方法。
【発明の詳細な説明】
【０００１】
【発明の属する技術分野】
本発明は、衛星通信システムに関し、特にＰＨＳ（簡易携帯電話システム）を利用する衛星通信システムに関する。
【０００２】
【従来の技術】
近年、ＰＨＳ（Ｐｅｒｓｏｎａｌ　Ｈａｎｄｙｐｈｏｎｅ　Ｓｙｓｔｅｍ、簡易携帯電話システム）を利用したデジタルコードレス通信システムが普及している。この通信システムでは、ＰＩＡＦＳ（ＰＨＳ　Ｉｎｔｅｒｎｅｔ　Ａｃｃｅｓｓ　Ｆｏｒｕｍ　Ｓｔａｎｄａｒｄ）を利用して、家庭内及び会社内の自営基地局である自営親機（親機と称する）と移動局である子機間のデータ通信と、子機間同士の内線データ通信とが行われ、さらに、子機から発信して親機を経由してアナログ電話回線あるいはＩＳＤＮ網に接続しインターネットにアクセスが行われている。この親機と子機間の内線回線による通信は、通信速度３２Ｋｂｐｓ及び６４Ｋｂｐｓのデータ通信により実現されている。
【０００３】
また、携帯電話のサービスエリア外（圏外）に該当する場所や一般電話機を設置し難い場所（例示：山間部）で親機と子機（ＰＨＳ電話機）とがデータ通信を行うとき、図６に示されるように、衛星通信機器１４に有線にてＮＣＵ２０（衛星通信機器１４と電話機、ＦＡＸ／モデムを接続するための装置）を接続し、ＮＣＵ２０に有線にてホームアンテナ１３に接続する。ホームアンテナ１３とＮＣＵ２０は、親機に対応し、ホームアンテナ１３は、ＰＨＳ網を介してＰＨＳ電話機（子機）であるＰＨＳ１１、ＰＨＳ１２に接続される。これにより、ホームアンテナ１３にＰＨＳ１１、ＰＨＳ１２を収容した環境が実現される。また、衛星通信機器１４は、静止衛星１５を介して無線により衛星基地局１６に接続され、衛星基地局１６は、移動通信網１７、固定網１８を介してインターネット１９に接続される。
【０００４】
【発明が解決しようとする課題】
しかしながら、このような通信システムにおいて、上述の親機は、公衆基地局とは異なり、低価格化が望まれているため、無線ユニットとチャネルコーデックの設計の面から、同時に使用できる通信チャネルは、２チャネルに制限されている。例えば親機と子機（ＰＨＳ１１）間で、２チャネルを使用して６４Ｋｂｐｓのデータ通信を行っているとき、他の子機（ＰＨＳ１２）は親機と通信できない。従って、各子機に対して、通信接続の機会が均等化されていない。このため、複数の子機（複数のＰＨＳ電話機）のうちの少なくとも１つが親機と通信することができることにより利用性が向上し且つ広域性に優れた通信システムが望まれる。また、各子機（各ＰＨＳ電話機）に対して通信接続の機会を均等化できる通信システムが望まれる。
【０００５】
本発明の目的は、利用性が向上し且つ広域性に優れた衛星通信システムを提供することにある。
【０００６】
本発明の他の目的は、各子機（各ＰＨＳ電話機）に対して通信接続の機会を均等化できる衛星通信システムを提供することにある。
【０００７】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００８】
本発明の衛星通信システムは、衛星通信機器（４）と衛星通信アダプタ（３）とを具備する。衛星通信アダプタ（３）は、衛星通信機器（４）に物理的に結合され、チャネルコーデック機能とＰＩＡＦＳ通信制御機能を有する。この衛星通信アダプタ（３）は、チャネルコーデック機能によって複数のＰＨＳ電話機（１、２）のうちの少なくとも１つを選択し、ＰＩＡＦＳ通信制御機能によって、選択されたＰＨＳ電話機が衛星通信アダプタ（３）、衛星通信機器（４）、及び人工衛星（５）を経由して基地局（６）と通信可能とする。本発明の衛星通信システムによれば、子機である複数のＰＨＳ電話機（１、２）のうちの少なくとも１つのＰＨＳ電話機が親機である衛星通信アダプタ（３）と通信することができることにより利用性が向上し、その少なくとも１つのＰＨＳ電話機が衛星通信を利用して基地局（６）と通信するため広域性に優れたシステムを実現する。このような広域性に優れた衛星通信システムは、例えば、携帯電話のサービスエリア外（圏外）に該当する場所や一般電話機を設置し難い場所（例示：山間部）でも利用することができる。
【０００９】
本発明の衛星通信システムは、第１通信モードと第２通信モードとを実行する。第１通信モードは、衛星通信アダプタ（３）が複数のＰＨＳ電話機（１、２）のうちの１つを選択するモードである。第２通信モードは、衛星通信アダプタ（３）が複数のＰＨＳ電話機（１、２）のうちの少なくとも１つを選択するモードである。第１通信モードにおいて、衛星通信アダプタ（３）は、複数のＰＨＳ電話機（１、２）のうちの第１ＰＨＳ電話機（１）から送信された、リンクチャネルを確立するための要求を表す第１リンクチャネル確立要求を受信したとき、チャネルコーデック機能によって第１ＰＨＳ電話機（１）にＮ（Ｎは２以上の整数）個の通信チャネルの全てを割り当てる。第２通信モードにおいて、衛星通信アダプタ（３）は、第１ＰＨＳ電話機（１）から再度送信された第１リンクチャネル確立要求を受信したとき、チャネルコーデック機能によってＮ個の通信チャネルのうちのＭ（１≦Ｍ＜Ｎを満たす整数）個の通信チャネルを第１ＰＨＳ電話機（１）に割り当てる。ここで、Ｎは、例えば、２である。また、Ｎ個の通信チャネルの各々の通信速度は、３２Ｋｂｐｓである。本発明の衛星通信システムによれば、衛星通信アダプタ（３）が複数のＰＨＳ電話機（１、２）のうちの１つを選択する第１通信モードでは、衛星通信アダプタ（３）が複数のＰＨＳ電話機（１、２）のうちの第１ＰＨＳ電話機（１）と通信速度６４Ｋｂｐｓのデータ通信を行い、衛星通信アダプタ（３）が複数のＰＨＳ電話機（１、２）のうちの少なくとも１つを選択する第２通信モードでは、衛星通信アダプタ（３）が第１ＰＨＳ電話機（１）と通信速度３２Ｋｂｐｓに制限したデータ通信を行うため、複数のＰＨＳ電話機（１、２）のうちの第１ＰＨＳ電話機（１）以外のＰＨＳ電話機に通信接続の機会を与えることができる。即ち、本発明の衛星通信システムによれば、各子機（各ＰＨＳ電話機）に対して通信接続の機会を均等化できる。
【００１０】
第１通信モードにおいて、衛星通信アダプタ（３）は、複数のＰＨＳ電話機（１、２）のうちの第２ＰＨＳ電話機（２）から送信された、リンクチャネルを確立するための要求を表す第２リンクチャネル確立要求を受信したとき、リンクチャネルの割り当てを拒否する旨を示すリンクチャネル割当拒否メッセージを第２ＰＨＳ電話機（２）に送信する。このリンクチャネル割当拒否メッセージには、第１ＰＨＳ電話機（１）の内線電話番号と、衛星通信アダプタ（３）と第１ＰＨＳ電話機（１）とが通信を行っているときの通信速度とが記載されている。また、リンクチャネル割当拒否メッセージは、第２ＰＨＳ電話機（２）、及び第２ＰＨＳ電話機（２）に接続された端末（１０）のうちの少なくとも１つに表示される。本発明の衛星通信システムによれば、第２ＰＨＳ電話機（２）、第２ＰＨＳ電話機（２）に接続された端末（１０）に表示されるリンクチャネル割当拒否メッセージに記載された通信速度が“６４Ｋｂｐｓ”である場合、第２ＰＨＳ電話機（２）の利用者が第２リンクチャネル確立要求を再度送信すれば、衛星通信アダプタ（３）と第１ＰＨＳ電話機（１）とが再度データ通信（第２通信モード）を行っていても、第２ＰＨＳ電話機（２）に通信接続の機会を与えられ、利用性が向上する。
【００１１】
その理由として、本発明の衛星通信システムによれば、第２通信モードで、衛星通信アダプタ（３）が、第２ＰＨＳ電話機（２）から再度送信された第２リンクチャネル確立要求を受信したとき、チャネルコーデック機能によってＮ個の通信チャネルのうちのＭ個の通信チャネルに重複しないＰ（１≦Ｐ＜Ｎを満たす整数）個の通信チャネルを第２ＰＨＳ電話機（２）に割り当てることにより実現する。このように、第２通信モードにおいて、第２ＰＨＳ電話機（２）は、衛星通信アダプタ（３）と通信速度３２Ｋｂｐｓのデータ通信を行うことができる。
【００１２】
複数のＰＨＳ電話機（１、２）のうちの第１ＰＨＳ電話機（１）以外のＰＨＳ電話機に通信接続の機会を与えるために、衛星通信アダプタ（３）は確立要求テーブル（２７）を有している。この場合、第１通信モードにおいて、衛星通信アダプタ（３）は、第２ＰＨＳ電話機（２）からの第２リンクチャネル確立要求を受信したとき、第２ＰＨＳ電話機（２）の内線電話番号と第２リンクチャネル確立要求があった旨を示すリンクチャネル確立要求有とを確立要求テーブル（２７）に格納する。第２通信モードにおいて、衛星通信アダプタ（３）は、第１ＰＨＳ電話機（１）から再度送信された第１リンクチャネル確立要求を受信したとき、確立要求テーブル（２７）を参照し、確立要求テーブル（２７）に第２ＰＨＳ電話機（２）の内線電話番号とリンクチャネル確立要求有とが格納されている場合、チャネルコーデック機能によって、Ｍ個の通信チャネルを第１ＰＨＳ電話機（１）に割り当てる。
【００１３】
第２通信モードにおいて、所定時間が経過しても第２ＰＨＳ電話機（２）から第２リンクチャネル確立要求が再度送信されないとき、衛星通信アダプタ（３）は、第２リンクチャネル確立要求がない旨を示すメッセージであるリンクチャネル確立要求無を第１ＰＨＳ電話機（１）に送信する。このメッセージは、第１ＰＨＳ電話機（１）、及び第１ＰＨＳ電話機（１）に接続された端末（１０）のうちの少なくとも１つに表示される。また、衛星通信アダプタ（３）は、リンクチャネル確立要求無を送信した後に第１ＰＨＳ電話機（１）からの第１リンクチャネル確立要求を受信したとき、第１通信モードを実行する。このように、所定時間が経過しても第２ＰＨＳ電話機（２）から第２リンクチャネル確立要求が再度送信されない場合、第１ＰＨＳ電話機（１）は、衛星通信アダプタ（３）と通信速度３２Ｋｂｐｓに制限したデータ通信を行う必要がなく、再度、衛星通信アダプタ（３）と通信速度６４Ｋｂｐｓのデータ通信を行うことができ、利用性が向上する。
【００１４】
第１通信モードにおいて、衛星通信アダプタ（３）は、第２ＰＨＳ電話機（２）からの第２リンクチャネル確立要求を所定回数だけ受信したとき、リンクチャネルを開放する要求を表すメッセージであるリンクチャネル開放要求を第１ＰＨＳ電話機（１）に送信する。このメッセージは、第１ＰＨＳ電話機（１）、及び第１ＰＨＳ電話機（１）に接続された端末（１０）のうちの少なくとも１つに表示される。本発明の衛星通信システムによれば、第１ＰＨＳ電話機（１）、第１ＰＨＳ電話機（１）に接続された端末（１０）に表示されるメッセージ（リンクチャネル開放要求）によって、第２ＰＨＳ電話機（２）に通信接続の機会を与えるよう第１ＰＨＳ電話機（１）の利用者に促すことができる。
【００１５】
本発明の衛星通信方法は、衛星通信アダプタ（３）と衛星通信機器（４）と人工衛星（５）とを用いて、複数のＰＨＳ電話機（１、２）のうちの少なくとも１つが衛星通信アダプタ（３）、衛星通信機器（４）、及び人工衛星（５）を経由して基地局（６）と通信する方法である。本発明の衛星通信方法は、（ａ）衛星通信アダプタ（３）が複数のＰＨＳ電話機（１、２）のうちの１つを選択するステップ（Ｓ１〜Ｓ６、Ｓ２１〜Ｓ２７）と、（ｂ）衛星通信アダプタ（３）が複数のＰＨＳ電話機（１、２）のうちの少なくとも１つを選択するステップ（Ｓ７〜Ｓ１４）とを具備する。本発明の衛星通信方法によれば、子機である複数のＰＨＳ電話機（１、２）のうちの少なくとも１つのＰＨＳ電話機が親機である衛星通信アダプタ（３）と通信することができることにより利用性が向上し、その少なくとも１つのＰＨＳ電話機が衛星通信を利用して基地局（６）と通信するため広域性に優れている。このような広域性に優れた衛星通信方法は、例えば、携帯電話のサービスエリア外（圏外）に該当する場所や一般電話機を設置し難い場所（例示：山間部）でも利用することができる。
【００１６】
（ａ）のステップは、（ｃ）複数のＰＨＳ電話機（１、２）のうちの第１ＰＨＳ電話機（１）から送信された、リンクチャネルを確立するための要求を表す第１リンクチャネル確立要求を受信したとき、第１ＰＨＳ電話機（１）にＮ（Ｎは２以上の整数）個の通信チャネルの全てを割り当てるステップ（Ｓ１、Ｓ２）を実行する。（ｂ）のステップは、（ｄ）第１ＰＨＳ電話機（１）から再度送信された第１リンクチャネル確立要求を受信したとき、Ｎ個の通信チャネルのうちのＭ（１≦Ｍ＜Ｎを満たす整数）個の通信チャネルを第１ＰＨＳ電話機（１）に割り当てるステップ（Ｓ７〜Ｓ１０）を実行する。ここで、Ｎは、例えば、２である。また、Ｎ個の通信チャネルの各々の通信速度は、３２Ｋｂｐｓである。本発明の衛星通信方法によれば、（ａ）のステップでは、衛星通信アダプタ（３）が複数のＰＨＳ電話機（１、２）のうちの第１ＰＨＳ電話機（１）と通信速度６４Ｋｂｐｓのデータ通信を行い、（ｂ）のステップでは、衛星通信アダプタ（３）が第１ＰＨＳ電話機（１）と通信速度３２Ｋｂｐｓに制限したデータ通信を行うため、複数のＰＨＳ電話機（１、２）のうちの第１ＰＨＳ電話機（１）以外のＰＨＳ電話機に通信接続の機会を与えることができる。即ち、本発明の衛星通信方法によれば、各子機（各ＰＨＳ電話機）に対して通信接続の機会を均等化できる。
【００１７】
（ｃ）のステップは、（ｅ）複数のＰＨＳ電話機（１、２）のうちの第２ＰＨＳ電話機（２）から送信された、リンクチャネルを確立するための要求を表す第２リンクチャネル確立要求を受信したとき、リンクチャネルの割り当てを拒否する旨を示すリンクチャネル割当拒否メッセージを第２ＰＨＳ電話機（２）に送信するステップ（Ｓ３、Ｓ４）を実行する。本発明の衛星通信方法によれば、第２ＰＨＳ電話機（２）の利用者が第２リンクチャネル確立要求を再度送信したとき、衛星通信アダプタ（３）と第１ＰＨＳ電話機（１）とが再度データ通信｛（ｂ）のステップ｝を行っていても、第２ＰＨＳ電話機（２）に通信接続の機会を与えられ、利用性が向上する。
【００１８】
（ｄ）のステップは、（ｆ）第２ＰＨＳ電話機（２）から再度送信された第２リンクチャネル確立要求を受信したとき、Ｎ個の通信チャネルのうちのＭ個の通信チャネルに重複しないＰ（１≦Ｐ＜Ｎを満たす整数）個の通信チャネルを第２ＰＨＳ電話機（２）に割り当てるステップ（Ｓ１１〜Ｓ１４）を実行する。このように、（ｂ）のステップにおいて、第２ＰＨＳ電話機（２）は、衛星通信アダプタ（３）と通信速度３２Ｋｂｐｓのデータ通信を行うことができる。
【００１９】
本発明の衛星通信方法において、複数のＰＨＳ電話機（１、２）のうちの第１ＰＨＳ電話機（１）以外のＰＨＳ電話機に通信接続の機会を与えるために、衛星通信アダプタ（３）は確立要求テーブル（２７）を有している。（ｅ）のステップは、（ｇ）第２ＰＨＳ電話機（２）からの第２リンクチャネル確立要求を受信したとき、第２ＰＨＳ電話機（２）の内線電話番号と第２リンクチャネル確立要求があった旨を示すリンクチャネル確立要求有とを確立要求テーブルに格納するステップ（Ｓ３、Ｓ４）を実行する。（ｆ）のステップは、（ｈ）第１ＰＨＳ電話機（１）から再度送信された第１リンクチャネル確立要求を受信したとき、確立要求テーブルを参照し、確立要求テーブルに第２ＰＨＳ電話機（２）の内線電話番号とリンクチャネル確立要求有とが格納されている場合、Ｍ個の通信チャネルを第１ＰＨＳ電話機（１）に割り当てるステップ（Ｓ１１〜Ｓ１４）を実行する。
【００２０】
（ｂ）のステップは、（ｉ）所定時間が経過しても第２ＰＨＳ電話機（２）から第２リンクチャネル確立要求が再度送信されないとき、第２リンクチャネル確立要求がない旨を示すメッセージであるリンクチャネル確立要求無を第１ＰＨＳ電話機（１）に送信するステップ（Ｓ７〜Ｓ１４）を実行する。（ａ）のステップは、（ｉ）のステップ実行後に第１ＰＨＳ電話機（１）からの第１リンクチャネル確立要求を受信したとき、（ｃ）のステップ（Ｓ１、Ｓ２）を実行する。このように、所定時間が経過しても第２ＰＨＳ電話機（２）から第２リンクチャネル確立要求が再度送信されない場合、第１ＰＨＳ電話機（１）は、衛星通信アダプタ（３）と通信速度３２Ｋｂｐｓに制限したデータ通信を行う必要がなく、再度、衛星通信アダプタ（３）と通信速度６４Ｋｂｐｓのデータ通信を行うことができ、利用性が向上する。
【００２１】
（ｃ）のステップは、（ｊ）第２ＰＨＳ電話機（２）からの第２リンクチャネル確立要求を所定回数だけ受信したとき、リンクチャネルを開放する要求を表すメッセージであるリンクチャネル開放要求を第１ＰＨＳ電話機（１）に送信するステップ（Ｓ２１〜Ｓ２７）を実行する。本発明の衛星通信方法によれば、第１ＰＨＳ電話機（１）、第１ＰＨＳ電話機（１）に接続された端末（１０）に表示されるメッセージ（リンクチャネル開放要求）によって、第２ＰＨＳ電話機（２）に通信接続の機会を与えるよう第１ＰＨＳ電話機（１）の利用者に促すことができる。
【００２２】
【発明の実施の形態】
添付図面を参照して、本発明による衛星通信システムの実施の形態を以下に説明する。
【００２３】
図１は、本発明の衛星通信システムの構成を示すブロック図である。図１に示されるように、本発明の衛星通信システムは、複数のＰＨＳ（ＰｅｒｓｏｎａｌＨａｎｄｙｐｈｏｎｅ　Ｓｙｓｔｅｍ）電話機と、ＰＨＳ通信用アンテナが設けられた衛星通信アダプタ３と、衛星通信機器４と、人工衛星である静止衛星５と、衛星基地局６とを具備する。本発明の衛星通信システムは、衛星通信アダプタ３と複数のＰＨＳ電話機とがデータ通信を行うときに利用される。この本発明の衛星通信システムは、例えば、携帯電話のサービスエリア外（圏外）に該当する場所や一般電話機を設置し難い場所（例示：山間部）でも利用可能である。
【００２４】
衛星通信アダプタ３は、無線回線を介して複数のＰＨＳ電話機と接続され、通信チャネルが第１通信チャネルと第２通信チャネルとの２チャネルのみを有する簡易的な自営基地局（自営親機又は親機と称する）である。ここで、複数のＰＨＳ電話機として、ＰＨＳ１、ＰＨＳ２を例にして説明する。ＰＨＳ１とＰＨＳ２は、衛星通信アダプタ３の内部システムに予め登録された子機端末であり、上述の２チャネルを使用して、衛星通信アダプタ３と無線通信する。
【００２５】
また、衛星通信アダプタ３は、有線にて衛星通信機器４に接続される。この衛星通信アダプタ３は、従来の無線システムで説明されたＮＣＵ２０を介して接続されるのではなく、物理的に衛星通信機器４に接続される。衛星通信機器４は、静止衛星５を介して無線により衛星基地局６に接続され、衛星基地局６は、移動通信網７、固定網８を介してインターネット９に接続される。移動通信網７は、携帯電話機で例示される移動端末の通信回線である。固定網８は、一般電話機、ＦＡＸ、ＰＣ（パーソナルコンピュータ）、企業ＬＡＮに接続するための有線通信回線である。
【００２６】
また、衛星通信アダプタ３は、チャネルコーデック機能とＰＩＡＦＳ通信制御機能とを有する。チャネルコーデック機能は、無線回線におけるタイムスロットに通信チャネルの割当を行い、制御チャネル及び通信チャネルの分解と組み立てを行う。ＰＩＡＦＳ通信制御機能は、通信速度３２Ｋｂｐｓのチャネルを２チャネル使用した通信速度６４Ｋｂｐｓのデータ通信をＰＩＡＦＳにより制御（ＰＩＡＦＳデータ通信制御）する。ここで、ＰＩＡＦＳ（ＰＨＳ　ＩｎｔｅｒｎｅｔＡｃｃｅｓｓ　Ｆｏｒｕｍ　Ｓｔａｎｄａｒｄ）は、ＲＣＲ−ＳＴＤ−２８（電波システム開発センタ標準）で規定された、ＰＨＳの基地局（ここでは、衛星通信アダプタ３）とＰＨＳの端末（ここでは、ＰＨＳ１、ＰＨＳ２）間の伝送制御プロトコルである。ＰＨＳ１、ＰＨＳ２は、衛星通信アダプタ３と同様に、チャネルコーデック機能とＰＩＡＦＳ通信制御機能を有する。
【００２７】
衛星通信アダプタ３は、チャネルコーデック機能に基づいて複数のＰＨＳ電話機（ＰＨＳ１、ＰＨＳ２）のうちの少なくとも１つを選択し、ＰＩＡＦＳ通信制御機能に基づいて、選択されたＰＨＳ電話機が衛星通信アダプタ３、衛星通信機器４、及び静止衛星５を経由して衛星基地局６と通信可能とする。即ち、選択されたＰＨＳ電話機は、衛星基地局６と通信してインターネットアクセスポイントに接続される。
【００２８】
図２は、衛星通信アダプタ３の内部システムの構成を示すブロック図である。図２に示されるように、衛星通信アダプタ３は、回線インタフェース部２１、ＰＩＡＦＳ制御部２２、チャネルコーデック部２３、無線ユニット部２４、制御部２５、記憶部２６を具備する。記憶部２６は、確立要求テーブル２７、内線電話番号テーブル２８を有する。内線電話番号テーブル２８には、衛星通信アダプタ３の内部システムに予め登録された子機端末として、複数のＰＨＳ電話機（ＰＨＳ１、ＰＨＳ２）の内線電話番号が予めに登録されている。
【００２９】
回線インタフェース部２１は、衛星通信機器４に有線にて接続されている。ＰＩＡＦＳ制御部２２は、回線インタフェース部２１に接続されている。チャネルコーデック部２３は、ＰＩＡＦＳ制御部２２に接続されている。無線ユニット部２４は、チャネルコーデック部２３に接続されている。制御部２５は、回線インタフェース部２１、ＰＩＡＦＳ制御部２２、チャネルコーデック部２３、無線ユニット部２４、記憶部２６に接続されている。制御部２５は、ＣＰＵ（図示せぬ）を有し、そのＣＰＵによって、回線インタフェース部２１とＰＩＡＦＳ制御部２２とチャネルコーデック部２３と無線ユニット部２４と記憶部２６とを制御する。
【００３０】
無線ユニット部２４は、１．９ＧＨｚ帯の周波数に変換する機能を有し、無線回線を介してＰＨＳ１、ＰＨＳ２とデータの送受信（データ通信）を行う。チャネルコーデック部２３は、上述のチャネルコーデック機能であり、無線回線におけるタイムスロットに通信チャネルを割り当てるとともに、制御チャネル及び通信チャネルの分解と組み立てを行う。
【００３１】
ＰＩＡＦＳ制御部２２は、上述のＰＩＡＦＳ通信制御機能であり、ＰＩＡＦＳフレームの生成、分解、ＰＩＡＦＳデータ通信制御を行う。ＰＩＡＦＳ制御部２２は、通信速度３２Ｋｂｐｓのチャネルを使用したデータ通信と、通信速度３２Ｋｂｐｓのチャネルを２チャネル使用した通信速度６４Ｋｂｐｓのデータ通信とをサポートする。回線インタフェース部２１は、衛星通信機器４に接続するための制御機能を有する。
【００３２】
図３は、ＰＨＳ１、２の内部システムの構成を示すブロック図である。図３に示されるように、ＰＨＳ１、２は、ＤＴＥ（デジタル端末）インタフェース部３１、ＰＩＡＦＳ制御部３２、チャネルコーデック部３３、無線ユニット部３４、制御部３５、表示部３６を具備する。表示部３６は、ＬＣＤ（液晶）表示器又はＬＥＤ表示器である。
【００３３】
ＤＴＥインタフェース部３１は、通常、ＰＣ１０に接続され、ＰＨＳ１、ＰＨＳ２は、そのＰＣ１０から制御されることにより、発着信の起動とデータの送受信とを行うことができる。ＰＩＡＦＳ制御部３２は、ＤＴＥインタフェース部３１に接続されている。チャネルコーデック部３３は、ＰＩＡＦＳ制御部３２に接続されている。無線ユニット部３４は、チャネルコーデック部３３に接続されている。制御部３５は、ＤＴＥインタフェース部３１、ＰＩＡＦＳ制御部３２、チャネルコーデック部３３、無線ユニット部３４、表示部３６に接続されている。制御部３５は、ＣＰＵ（図示せぬ）を有し、そのＣＰＵによって、ＤＴＥインタフェース部３１とＰＩＡＦＳ制御部３２とチャネルコーデック部３３と無線ユニット部３４と表示部３６とを制御する。
【００３４】
無線ユニット部３４は、無線回線を介して衛星通信アダプタ３とデータの送受信（データ通信）を行う。チャネルコーデック部３３は、上述のチャネルコーデック機能であり、無線回線におけるタイムスロットに通信チャネルを割り当てるとともに、制御チャネル及び通信チャネルの分解と組み立てを行う。
【００３５】
ＰＩＡＦＳ制御部３２は、上述のＰＩＡＦＳ通信制御機能であり、ＰＩＡＦＳフレームの生成、分解、ＰＩＡＦＳデータ通信制御を行う。ＰＩＡＦＳ制御部３２は、通信速度３２Ｋｂｐｓのチャネルを使用したデータ通信と、通信速度３２Ｋｂｐｓのチャネルを２チャネル使用した通信速度６４Ｋｂｐｓのデータ通信とをサポートする。
【００３６】
ＤＴＥインタフェース部３１は、ＰＣ１０との接続インタフェース機能と、ＲＳ２３２Ｃ又はＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）で標準化されているカードインタフェースとを有する。
【００３７】
次に、本発明の衛星通信システムの動作について説明する。図４、図５は、本発明の衛星通信システムの動作を示すシーケンス図である。本発明の衛星通信システムは第１通信モードと第２通信モードとを実行する。第１通信モードでは、衛星通信アダプタ３が複数のＰＨＳ電話機（ＰＨＳ１、ＰＨＳ２）のうちの１つのＰＨＳ電話機を選択するモードである。第２通信モードでは、衛星通信アダプタ３が複数のＰＨＳ電話機（ＰＨＳ１、ＰＨＳ２）のうちの少なくとも１つのＰＨＳ電話機を選択するモードである。
【００３８】
第１通信モードにおいて、衛星通信アダプタ３は、複数のＰＨＳ電話機（ＰＨＳ１、ＰＨＳ２）のうちのＰＨＳ１から送信された、リンクチャネルを確立するための要求を表す第１リンクチャネル確立要求を受信したとき、チャネルコーデック部２３によってＰＨＳ１に２個の通信チャネルを割り当てる。この場合、図４に示されるように、第１通信モード（Ｓ１〜Ｓ６）において、衛星通信アダプタ３とＰＨＳ１は、通信速度３２Ｋｂｐｓの第１通信チャネルＴｃｈ１と通信速度３２Ｋｂｐｓの第２通信チャネルＴｃｈ２とを使用して、通信速度６４Ｋｂｐｓのデータ通信を行っている（ステップＳ１、Ｓ２）。衛星通信アダプタ３の制御部２５は、第１通信チャネルＴｃｈ１と第２通信チャネルＴｃｈ２とを使用しているため、使用できる通信チャネルの空きが無いのを認識している。
【００３９】
第１通信モードにおいて、複数のＰＨＳ電話機のうちのＰＨＳ２が、制御チャネルＣｃｈを使用して、使用すべきリンクチャネルを確立するための要求を表す第２リンクチャネル確立要求を衛星通信アダプタ３に送信したものとする（ステップＳ３）。第２リンクチャネル確立要求には、ＰＨＳ２の内線電話番号が含まれる。
【００４０】
第１通信モードにおいて、衛星通信アダプタ３は、ＰＨＳ２からの第２リンクチャネル確立要求を受信したとき、衛星通信アダプタ３の制御部２５によって、内線電話番号テーブル２８に登録された内線電話番号に一致するＰＨＳ２の内線電話番号と、第２リンクチャネル確立要求があった旨を示すリンクチャネル確立要求有とを、衛星通信アダプタ３の記憶部２６の確立要求テーブル２７に格納する。衛星通信アダプタ３の制御部２５は、使用できる通信チャネルの空きが無いのを認識しているため、リンクチャネルの割り当てを拒否する旨を示すリンクチャネル割当拒否メッセージをＰＨＳ２に送信する（ステップＳ４）。
【００４１】
ここで、リンクチャネル割当拒否メッセージは、このメッセージ中に拒否理由情報を表す８ビットのエリアを有し、この８ビットのうちの最上位ビットを“１”とすることでオプションとして任意の情報設定ができる。従って、衛星通信アダプタ３の制御部２５は、最上位ビットを“１”とし、拒否理由情報を含むリンクチャネル割当拒否メッセージを生成し、このリンクチャネル割当拒否メッセージをＰＨＳ２に送信することにより、拒否理由情報をＰＨＳ２に通知する。このリンクチャネル割当拒否メッセージには、拒否理由情報として、通信中のＰＨＳ１の内線電話番号と接続通信速度とが記載されている。ここで、接続通信速度は、衛星通信アダプタ３とＰＨＳ１とがデータ通信を行っているときの通信速度であり、この場合、６４Ｋｂｐｓである。
【００４２】
ＰＨＳ２は、衛星通信アダプタ３からリンクチャネル割当拒否メッセージを受信すると、リンクチャネルの割当が拒否された旨をＰＨＳ２の表示部３６に表示するとともに、ＰＨＳ２のＤＴＥインタフェース部３１を経由して、ＰＨＳ２に接続されたＰＣ１０を制御し、リンクチャネルの割当が拒否された旨をそのＰＣ１０に表示する。
【００４３】
次に、衛星通信アダプタ３とＰＨＳ１は、データ通信を終了すると（第１通信モードの終了）、第１通信チャネルＴｃｈ１の切断と第２通信チャネルＴｃｈ２の切断とのシーケンスを実行する（ステップＳ５、Ｓ６）。
【００４４】
第１通信モードが終了した通信終了状態のとき、第２通信モードでは、ＰＨＳ１が、再度、制御チャネルＣｃｈを使用して、使用すべきリンクチャネルを確立するための要求を表す第１リンクチャネル確立要求を衛星通信アダプタ３に送信したものとする（ステップＳ７）。第１リンクチャネル確立要求には、ＰＨＳ１の内線電話番号が含まれる。
【００４５】
第２通信モード（Ｓ７〜Ｓ１４）において、衛星通信アダプタ３の制御部２５は、ＰＨＳ１からの第１リンクチャネル確立要求を受信したとき、衛星通信アダプタ３の確立要求テーブル２７を参照し、確立要求テーブル２７にＰＨＳ２の内線電話番号とリンクチャネル確立要求有とが格納されている場合、ＰＨＳ２からのリンクチャネル確立要求が既にあったことを認識する。この場合、衛星通信アダプタ３は、チャネルコーデック部２３によって、１個の通信チャネルとして通信速度３２Ｋｂｐｓの第１通信チャネルＴｃｈ１のみをＰＨＳ１に割り当てる（ステップＳ８）。このとき、第２通信チャネルＴｃｈ２は、いずれのＰＨＳ電話機（本実施例ではＰＨＳ１）にもまだ割り当てられていない。
【００４６】
次に、この第２通信モードにおいて、衛星通信アダプタ３とＰＨＳ１は、呼設定シーケンスを行い（ステップＳ９）、第１通信チャネルＴｃｈ１を使用して通信速度６４Ｋｂｐｓのデータ通信を行う（ステップＳ１０）。
【００４７】
第２通信モードにおいて、ＰＨＳ２が、再度、制御チャネルＣｃｈを使用して、第２リンクチャネル確立要求を衛星通信アダプタ３に送信したものとする（ステップＳ１１）。この場合、衛星通信アダプタ３は、チャネルコーデック部２３によって、第１通信チャネルＴｃｈ１に重複しない１個の通信チャネルとして通信速度３２Ｋｂｐｓの第２通信チャネルＴｃｈ２をＰＨＳ２に割り当てる（ステップＳ１２）。
【００４８】
次に、この第２通信モードにおいて、衛星通信アダプタ３とＰＨＳ２は、呼設定シーケンスを行い（ステップＳ１３）、第２通信チャネルＴｃｈ２を使用して通信速度６４Ｋｂｐｓのデータ通信を行う（ステップＳ１４）。
【００４９】
このように、２個の通信チャネルのうちの１個の通信チャネルは、ＰＨＳ２から再度送信された第２リンクチャネル確立要求を第２通信モードで衛星通信アダプタ３が受信したとき、チャネルコーデック部２３によってＰＨＳ２に割り当てられる。
【００５０】
ここで、第２通信モード（Ｓ７〜Ｓ１４）において、所定時間が経過してもＰＨＳ２から第２リンクチャネル確立要求が再度送信されないとき、衛星通信アダプタ３は、制御チャネルＣｃｈを使用して、第２リンクチャネル確立要求がない旨を示すメッセージであるリンクチャネル確立要求無をＰＨＳ１に送信する。ＰＨＳ１は、リンクチャネル確立要求無を受信し、そのリンクチャネル確立要求無（メッセージ）をＰＨＳ１の表示部３６に表示するとともに、ＰＨＳ１のＤＴＥインタフェース部３１を経由して、ＰＨＳ１に接続されたＰＣ１０を制御し、リンクチャネル確立要求無をそのＰＣ１０に表示する。その後、衛星通信アダプタ３は、ＰＨＳ１からの第１リンクチャネル確立要求を受信したとき、第１通信モードを実行する。即ち、衛星通信アダプタ３とＰＨＳ１は、第１通信モード（ステップＳ１、Ｓ２）として、第１通信チャネルＴｃｈ１と第２通信チャネルＴｃｈ２とを使用して、再度、６４Ｋｂｐｓのデータ通信を行うことができる。
【００５１】
また、図５に示されるように、第１通信モード（Ｓ２１〜Ｓ２７）において、衛星通信アダプタ３とＰＨＳ１は、第１通信チャネルＴｃｈ１と第２通信チャネルＴｃｈ２とを使用して、通信速度６４Ｋｂｐｓのデータ通信を行っているときに、ＰＨＳ２からの接続要求（リンクチャネル確立要求）があったとき、ＰＨＳ２からの接続要求があったとき、ＰＨＳ１に対してリンクチャネルを開放するよう要求して、ＰＨＳ２にリンクチャネルの割当ての機会を与えるよう促すこともできる。
【００５２】
まず、第１通信モードにおいて、ステップＳ１、Ｓ２と同様に、衛星通信アダプタ３とＰＨＳ１は、第１通信チャネルＴｃｈ１と第２通信チャネルＴｃｈ２とを使用して、通信速度６４Ｋｂｐｓのデータ通信を行っている（ステップＳ２１、Ｓ２２）。
【００５３】
第１通信モードにおいて、ステップＳ３と同様に、複数のＰＨＳ電話機のうちのＰＨＳ２が、制御チャネルＣｃｈを使用して、第２リンクチャネル確立要求を衛星通信アダプタ３に送信したものとする（ステップＳ２３）。
【００５４】
第１通信モードにおいて、ステップＳ４と同様に、衛星通信アダプタ３は、ＰＨＳ２からの第２リンクチャネル確立要求を受信したとき、衛星通信アダプタ３の制御部２５によって、衛星通信アダプタ３の内線電話番号テーブル２８に登録された内線電話番号に一致するＰＨＳ２の内線電話番号とリンクチャネル確立要求有とを、衛星通信アダプタ３の確立要求テーブル２７に格納する。衛星通信アダプタ３は、使用できる通信チャネルの空きが無いのを認識しているため、リンクチャネル割当拒否メッセージをＰＨＳ２に送信する（ステップＳ２４）。
【００５５】
ＰＨＳ２は、衛星通信アダプタ３からリンクチャネル割当拒否メッセージを受信し、再度、制御チャネルＣｃｈを使用して、第２リンクチャネル確立要求を衛星通信アダプタ３に送信したものとする（ステップＳ２５）。このとき、衛星通信アダプタ３は、ステップＳ２４と同様に、再度、リンクチャネル割当拒否メッセージをＰＨＳ２に送信する（ステップＳ２６）。
【００５６】
第１通信モードにおいて、衛星通信アダプタ３は、ＰＨＳ２からの第２リンクチャネル確立要求を所定回数｛本実施例では所定回数を２回（Ｓ２３、Ｓ２５）とする｝受信したとき、リンクチャネルを開放する要求を表すリンクチャネル開放要求をＰＨＳ１に送信する（ステップＳ２７）。ＰＨＳ１は、リンクチャネル開放要求を受信し、そのリンクチャネル開放要求（メッセージ）をＰＨＳ１の表示部３６に表示するとともに、ＰＨＳ１のＤＴＥインタフェース部３１を経由して、ＰＨＳ１に接続されたＰＣ１０を制御し、リンクチャネル開放要求をそのＰＣ１０に表示する。
【００５７】
【発明の効果】
以上の説明のより、本発明の衛星通信システムによれば、衛星通信アダプタ３は、衛星通信機器４に物理的に結合され、チャネルコーデック機能とＰＩＡＦＳ通信制御機能を有する。この衛星通信アダプタ３は、チャネルコーデック機能によって複数のＰＨＳ電話機１、２のうちの少なくとも１つを選択し、ＰＩＡＦＳ通信制御機能によって、選択されたＰＨＳ電話機が衛星通信アダプタ３、衛星通信機器４、及び人工衛星である静止衛星５を経由して衛星基地局６と通信可能とする。本発明の衛星通信システムによれば、子機である複数のＰＨＳ電話機１、２のうちの少なくとも１つのＰＨＳ電話機が親機である衛星通信アダプタ３と通信することができることにより利用性が向上し、その少なくとも１つのＰＨＳ電話機が衛星通信を利用して衛星基地局６と通信するため広域性に優れたシステムを実現する。このような広域性に優れた衛星通信システムは、例えば、携帯電話のサービスエリア外（圏外）に該当する場所や一般電話機を設置し難い場所（例示：山間部）でも利用することができる。
【００５８】
本発明の衛星通信システムは、第１通信モードと第２通信モードとを実行する。第１通信モードは、衛星通信アダプタ３が複数のＰＨＳ電話機１、２のうちの１つを選択するモードである。第２通信モードは、衛星通信アダプタ３が複数のＰＨＳ電話機１、２のうちの少なくとも１つを選択するモードである。第１通信モードにおいて、衛星通信アダプタ３は、複数のＰＨＳ電話機１、２のうちの第１ＰＨＳ電話機であるＰＨＳ１から送信された、リンクチャネルを確立するための要求を表す第１リンクチャネル確立要求を受信したとき、チャネルコーデック機能によってＰＨＳ１にＮ（Ｎは２以上の整数）個の通信チャネルの全てを割り当てる。第２通信モードにおいて、衛星通信アダプタ３は、ＰＨＳ１から再度送信された第１リンクチャネル確立要求を受信したとき、チャネルコーデック機能によってＮ個の通信チャネルのうちのＭ（１≦Ｍ＜Ｎを満たす整数）個の通信チャネルをＰＨＳ１に割り当てる。ここで、本実施例の場合、Ｎは２である。また、Ｎ個の通信チャネルの各々の通信速度は、３２Ｋｂｐｓである。本発明の衛星通信システムによれば、衛星通信アダプタ３が複数のＰＨＳ電話機１、２のうちの１つを選択する第１通信モードでは、衛星通信アダプタ３が複数のＰＨＳ電話機１、２のうちのＰＨＳ１と通信速度６４Ｋｂｐｓのデータ通信を行い、衛星通信アダプタ３が複数のＰＨＳ電話機１、２のうちの少なくとも１つを選択する第２通信モードでは、衛星通信アダプタ３がＰＨＳ１と通信速度３２Ｋｂｐｓに制限したデータ通信を行うため、複数のＰＨＳ電話機１、２のうちのＰＨＳ１以外のＰＨＳ電話機に通信接続の機会を与えることができる。即ち、本発明の衛星通信システムによれば、各子機（各ＰＨＳ電話機）に対して通信接続の機会を均等化できる。
【００５９】
第１通信モードにおいて、衛星通信アダプタ３は、複数のＰＨＳ電話機１、２のうちの第２ＰＨＳ電話機であるＰＨＳ２から送信された、リンクチャネルを確立するための要求を表す第２リンクチャネル確立要求を受信したとき、リンクチャネルの割り当てを拒否する旨を示すリンクチャネル割当拒否メッセージをＰＨＳ２に送信する。このリンクチャネル割当拒否メッセージには、ＰＨＳ１の内線電話番号と、衛星通信アダプタ３とＰＨＳ１とが通信を行っているときの通信速度とが記載されている。また、リンクチャネル割当拒否メッセージは、ＰＨＳ２、及びＰＨＳ２に接続された端末であるＰＣ１０のうちの少なくとも１つに表示される。本発明の衛星通信システムによれば、ＰＨＳ２、ＰＨＳ２に接続されたＰＣ１０に表示されるリンクチャネル割当拒否メッセージに記載された通信速度が“６４Ｋｂｐｓ”である場合、ＰＨＳ２の利用者が第２リンクチャネル確立要求を再度送信すれば、衛星通信アダプタ３とＰＨＳ１とが再度データ通信（第２通信モード）を行っていても、ＰＨＳ２に通信接続の機会を与えられ、利用性が向上する。
【００６０】
その理由として、本発明の衛星通信システムによれば、第２通信モードで、衛星通信アダプタ３が、ＰＨＳ２から再度送信された第２リンクチャネル確立要求を受信したとき、チャネルコーデック機能によってＮ個の通信チャネルのうちのＭ個の通信チャネルに重複しないＰ（１≦Ｐ＜Ｎを満たす整数）個の通信チャネルをＰＨＳ２に割り当てることにより実現する。このように、第２通信モードにおいて、ＰＨＳ２は、衛星通信アダプタ３と通信速度３２Ｋｂｐｓのデータ通信を行うことができる。
【００６１】
複数のＰＨＳ電話機１、２のうちのＰＨＳ１以外のＰＨＳ電話機に通信接続の機会を与えるために、衛星通信アダプタ３は確立要求テーブル２７を有している。この場合、第１通信モードにおいて、衛星通信アダプタ３は、ＰＨＳ２からの第２リンクチャネル確立要求を受信したとき、ＰＨＳ２の内線電話番号と第２リンクチャネル確立要求があった旨を示すリンクチャネル確立要求有とを確立要求テーブル２７に格納する。第２通信モードにおいて、衛星通信アダプタ３は、ＰＨＳ１から再度送信された第１リンクチャネル確立要求を受信したとき、確立要求テーブル２７を参照し、確立要求テーブル２７にＰＨＳ２の内線電話番号とリンクチャネル確立要求有とが格納されている場合、チャネルコーデック機能によって、Ｍ個の通信チャネルをＰＨＳ１に割り当てる。
【００６２】
第２通信モードにおいて、所定時間が経過してもＰＨＳ２から第２リンクチャネル確立要求が再度送信されないとき、衛星通信アダプタ３は、第２リンクチャネル確立要求がない旨を示すメッセージであるリンクチャネル確立要求無をＰＨＳ１に送信する。このメッセージは、ＰＨＳ１、及びＰＨＳ１に接続されたＰＣ１０のうちの少なくとも１つに表示される。また、衛星通信アダプタ３は、リンクチャネル確立要求無を送信した後にＰＨＳ１からの第１リンクチャネル確立要求を受信したとき、第１通信モードを実行する。このように、所定時間が経過してもＰＨＳ２から第２リンクチャネル確立要求が再度送信されない場合、ＰＨＳ１は、衛星通信アダプタ３と通信速度３２Ｋｂｐｓに制限したデータ通信を行う必要がなく、再度、衛星通信アダプタ３と通信速度６４Ｋｂｐｓのデータ通信を行うことができ、利用性が向上する。
【００６３】
第１通信モードにおいて、衛星通信アダプタ３は、ＰＨＳ２からの第２リンクチャネル確立要求を所定回数だけ受信したとき、リンクチャネルを開放する要求を表すメッセージであるリンクチャネル開放要求をＰＨＳ１に送信する。このメッセージは、ＰＨＳ１、及びＰＨＳ１に接続されたＰＣ１０のうちの少なくとも１つに表示される。本発明の衛星通信システムによれば、ＰＨＳ１、ＰＨＳ１に接続されたＰＣ１０に表示されるメッセージ（リンクチャネル開放要求）によって、ＰＨＳ２に通信接続の機会を与えるようＰＨＳ１の利用者に促すことができる。
【図面の簡単な説明】
【図１】図１は、本発明の衛星通信システムの構成を示すブロック図である。
【図２】図２は、本発明の衛星通信システムにおける衛星通信アダプタの内部システムの構成を示すブロック図である。
【図３】図３は、本発明の衛星通信システムにおけるＰＨＳ電話機の内部システムの構成を示すブロック図である。
【図４】図４は、本発明の衛星通信システムの動作を示すシーケンス図である。
【図５】図５は、本発明の衛星通信システムの動作を示すシーケンス図である。
【図６】図６は、従来の通信システムの構成を示すブロック図である。
【符号の説明】
１、２　　ＰＨＳ電話機（ＰＨＳ）
３　　衛星通信アダプタ
４　　衛星通信機器
５　　静止衛星
６　　衛星基地局
７　　移動通信網
８　　固定網
９　　インターネット
１０　　ＰＣ
１１、１２　　ＰＨＳ電話機（ＰＨＳ）
１３　　ホームアンテナ
１４　　衛星通信機器
１５　　静止衛星
１６　　衛星基地局
１７　　移動通信網
１８　　固定網
１９　　インターネット
２０　　ＮＣＵ
２１　　回線インタフェース部
２２　　ＰＩＡＦＳ制御部
２３　　チャネルコーデック部
２４　　無線ユニット部
２５　　制御部
２６　　記憶部
２７　　確立要求テーブル
２８　　内線電話番号テーブル
３１　　ＤＴＥ（デジタル端末）インタフェース部
３２　　ＰＩＡＦＳ制御部
３３　　チャネルコーデック部
３４　　無線ユニット部
３５　　制御部
３６　　表示部
【図１】
2004015352.tif 000003
【図２】
2004015352.tif 000004
【図３】
2004015352.tif 000005
【図４】
2004015352.tif 000006
【図５】
2004015352.tif 000007
【図６】
2004015352.tif 000008